(57)【要約】【課題】袋詰めされている籾殻を、袋から出して荷台に移載する際に好適な籾殻用バケット及び籾殻の移載方法を提供する。【解決手段】籾殻用バケット１１は、油圧ショベル機体側となる後部壁１４が閉塞し、前部に開口１５を有する有底角筒状のバケット本体１６の後部におけるバケット幅方向中央部に、バケット前部に向けて凹んだ溝部１７を設け、該溝部の溝幅を作業アームが通過可能な幅寸法に形成するとともに、バケット本体の前後方向及び上下方向の中間部に位置する溝部の溝底部１８に、油圧ショベルの作業アームの先端を装着するためのアーム装着部１９を設ける。【選択図】図１
2019203324.tif 000002
【特許請求の範囲】
【請求項１】
油圧ショベルの作業アームの先端に回動可能に装着される籾殻用バケットであって、該籾殻用バケットは、油圧ショベル機体側となる後部が閉塞し、前部が開口した有底角筒状のバケット本体の後部におけるバケット幅方向中央部に、バケット前部に向けて凹んだ溝部を設け、該溝部の溝幅を前記作業アームが通過可能な幅寸法に形成するとともに、バケット本体の前後方向及び上下方向の中間部に位置する前記溝部の底部に、前記作業アームの先端を装着するためのアーム装着部を設けたことを特徴とする籾殻用バケット。
【請求項２】
油圧ショベル機体側となる後部が閉塞し、前部が開口した有底角筒状のバケット本体の後部におけるバケット幅方向中央部に、バケット前部に向けて凹んだ溝部を設け、該溝部の溝幅を油圧ショベルの作業アームが通過可能な幅寸法に形成するとともに、バケット本体の前後方向及び上下方向の中間部に位置する前記溝部の底部に、前記作業アームの先端を装着するためのアーム装着部を設けた籾殻用バケットを作業アームの先端に回動可能に装着した油圧ショベルを使用して袋詰めされた籾殻を袋から出して籾殻搬送車の荷台に移載する方法あって、前記籾殻用バケットを地上に下ろした状態で、袋から出した籾殻を前部の開口から籾殻用バケットの前部に投入する第１投入操作と、籾殻用バケットを起こして開口を上方に向けることによって籾殻用バケット内の籾殻を籾殻用バケットの後部に移動させる籾殻移動操作と、籾殻を後部に移動させた籾殻用バケットを地上に下ろして袋から出した籾殻を前部の開口から籾殻用バケットの前部に投入する第２投入操作と、開口を上方に向けた籾殻用バケットを上昇させて籾殻搬送車の荷台上に移動させ、開口を下方に向けて籾殻用バケット内の籾殻を荷台に移載する籾殻移載操作とを含むことを特徴とする籾殻の移載方法。
【発明の詳細な説明】
【技術分野】
【０００１】
本発明は、籾殻用バケット及び籾殻の移載方法に関し、詳しくは、圃場に形成した暗渠管敷設溝内に投入する籾殻を移載するのに適した構造を有する籾殻用バケット及び籾殻の移載方法に関する。
【背景技術】
【０００２】
掘削溝に沿って走行しながら埋め戻し材を投入するための埋め戻し材投入車が知られている（例えば、特許文献１参照。）。また、圃場に形成した暗渠管敷設溝内に透水層を形成するための木材チップを投入する際に使用するチップ投入機も知られている（例えば、特許文献１参照。）。
【先行技術文献】
【特許文献】
【０００３】
【特許文献１】特開平１１−１８１８２７号公報
【特許文献２】特開２０１５−１４８０５０号公報
【発明の概要】
【発明が解決しようとする課題】
【０００４】
埋め戻し材投入車やチップ投入機の荷台に埋め戻し材や木材チップを積載する際、土砂や砕石などの重量物は、ダンプカーなどから地上におろされたものを油圧ショベルのバケットですくい上げて行うようにしているが、木材チップや籾殻などの軽量物は、一般的に袋詰めで輸送されてくるため、油圧ショベルのアームに袋を吊り下げて荷台上に位置させた状態で袋を切り開いて荷台に落下させることで行うようにしている。しかし、荷台への積載作業における１回分の移載量が限られているため、何回も繰り返して行う必要があった。さらに、袋の切り開きは、荷台上での高所作業になるため、十分な注意が必要であり、作業者の大きな負担となっていた。
【０００５】
一方、透水層を形成するために多用されている袋詰めの籾殻を、埋め戻し材投入車やチップ投入機と同様に形成された籾殻搬送車や籾殻投入機の荷台に積載する際にも同様の問題があるが、籾殻が極めて軽量であることから、袋から荷台に籾殻を落下させる際に、僅かな風でも籾殻が吹き飛ばされることがあり、荷台への積載作業効率が悪く、籾殻の使用効率も低下してしまう。
【０００６】
さらに、埋め戻し材投入車やチップ投入機の荷台に直接移載する場合は、埋め戻し材投入車やチップ投入機による作業を一時中断する必要があるため、掘削溝への埋め戻し材の投入効率も低下してしまう。
【０００７】
そこで本発明は、袋詰めされている籾殻を、袋から出して荷台に移載する際に好適な籾殻用バケット及び籾殻の移載方法を提供することを目的としている。
【課題を解決するための手段】
【０００８】
上記目的を達成するため、本発明の籾殻用バケットは、油圧ショベルの作業アームの先端に回動可能に装着される籾殻用バケットであって、該籾殻用バケットは、油圧ショベル機体側となる後部が閉塞し、前部が開口した有底角筒状のバケット本体の後部におけるバケット幅方向中央部に、バケット前部に向けて凹んだ溝部を設け、該溝部の溝幅を前記作業アームが通過可能な幅寸法に形成するとともに、バケット本体の前後方向及び上下方向の中間部に位置する前記溝部の底部に、前記作業アームの先端を装着するためのアーム装着部を設けたことを特徴としている。
【０００９】
また、本発明の籾殻の移載方法は、油圧ショベル機体側となる後部が閉塞し、前部が開口した有底角筒状のバケット本体の後部におけるバケット幅方向中央部に、バケット前部に向けて凹んだ溝部を設け、該溝部の溝幅を前記作業アームが通過可能な幅寸法に形成するとともに、バケット本体の前後方向及び上下方向の中間部に位置する前記溝部の底部に、前記作業アームの先端を装着するためのアーム装着部を設けた籾殻用バケットを作業アームの先端に回動可能に装着した油圧ショベルを使用して袋詰めされた籾殻を袋から出して籾殻搬送車の荷台に移載する方法あって、前記籾殻用バケットを地上に下ろした状態で、袋から出した籾殻を前部の開口から籾殻用バケットの前部に投入する第１投入操作と、籾殻用バケットを起こして開口を上方に向けることによって籾殻用バケット内の籾殻を籾殻用バケットの後部に移動させる籾殻移動操作と、籾殻を後部に移動させた籾殻用バケットを地上に下ろして袋から出した籾殻を前部の開口から籾殻用バケットの前部に投入する第２投入操作と、開口を上方に向けた籾殻用バケットを上昇させて籾殻搬送車の荷台上に移動させ、開口を下方に向けて籾殻用バケット内の籾殻を荷台に移載する籾殻移載操作とを含むことを特徴としている。
【発明の効果】
【００１０】
本発明の籾殻用バケットによれば、バケット本体の中央部に作業アームの先端を装着しているので、バケット内に大量の籾殻をバランスよく保持することができ、１回のバケット操作で従来より多くの籾殻を移載することができる。また、本発明の籾殻の移載方法では、第１投入操作でバケット前部に投入した籾殻を、籾殻移動操作でバケット後部に移動させ、この籾殻移動操作で空いたバケット前部に第２投入操作で籾殻を追加投入することにより、籾殻が充填された袋をバケット後部に運んだり、高く持ち上げることなく、大量のバケット内に籾殻を投入することができる。
【図面の簡単な説明】
【００１１】
【図１】本発明の籾殻用バケットの第１形態例を示す平面図である。
【図２】図１のII−II断面図である。
【図３】本発明の籾殻用バケットを油圧ショベルの作業アームの先端に装着し、本発明方法の第１投入操作を行っている状態の側面図である。
【図４】同じく籾殻移動操作を行っている状態の側面図である。
【図５】同じく籾殻移載操作を行っている状態の側面図である。
【図６】本発明の籾殻用バケットの第２形態例を示す平面図である。
【図７】図６のVII−VII断面図である。
【発明を実施するための形態】
【００１２】
まず、図１及び図２は本発明の籾殻用バケットの第１形態例を示しており、図３乃至図５は本発明方法の一実施例を示している。本形態例に示す籾殻用バケット１１は、油圧ショベル１２の作業アーム１３の先端に装着した状態で、油圧ショベル機体側となる後部が後部壁１４によって閉塞され、前部に開口１５を形成した有底角筒状のバケット本体１６を有している。バケット本体１６の後部壁１４におけるバケット幅方向中央部には、バケット前部に向けて凹んだ溝部１７が上下方向に設けられており、該溝部１７の溝幅は、前記作業アーム１３が上下方向に通過可能な幅寸法で形成されている。そして、この溝部１７におけるバケット本体１６の前後方向及び上下方向の中間部で、好ましくは籾殻用バケット１１の重心位置乃至重心位置の近傍に位置する溝底部１８に、前記作業アーム１３の先端を装着するためのアーム装着部１９が設けられている。
【００１３】
アーム装着部１９は、一般的な作業アーム１３の先端がピン（図示せず）によって回動可能に取り付けられるアーム取付孔１９ａと、バケットシリンダ１３ａの先端がピン（図示せず）によって回動可能に取り付けられるシリンダ取付孔１９ｂとを有しており、通常のアーム操作によって位置合わせした状態で各ピンを挿入することにより、作業アーム１３の先端に籾殻用バケット１１を装着することができ、一般的なバケットと籾殻用バケット１１とを着脱交換できるように形成されている。
【００１４】
この籾殻用バケット１１は、例えば、前述の埋め戻し材投入車やチップ投入機などと同様に形成された荷台に籾殻を移載する場合、幅や高さの制限から、通常は、荷台の積載量が５ｍ３程度であるから、バケット内に４〜６ｍ３程度の籾殻を保持できる大きさ、すなわち、開口幅及び開口高さがそれぞれ１〜２ｍ程度、奥行きが３〜４ｍ程度の大きさに形成することが好ましい。
【００１５】
このように、作業アーム１３の装着位置を、籾殻用バケット１１の重心位置あるいはその近傍に設定することにより、籾殻用バケット１１内の籾殻の有無に関係なく籾殻用バケット１１を円滑に操作することができ、籾殻用バケット１１の後部が油圧ショベル機体に衝突するおそれも少なくなり、大きな籾殻用バケット１１の前部側に籾殻を投入してもバランスを崩すことがなく、バケット内に籾殻を満杯状態にしても、作業アーム１３の先端より先の方に大きな荷重が作用しないので、油圧ショベルが転倒することを防止できる。
【００１６】
次に、図３乃至図５に基づいて、前記籾殻用バケット１１を使用して籾殻を移載する方法の一例を説明する。まず、図３に示すように、作業アーム１３の先端に籾殻用バケット１１を装着した油圧ショベル１２を袋入り籾殻の置き場所２１の付近に走行させ、作業アーム１３を操作して籾殻用バケット１１の開口１５を置き場所２１の方向に向けるとともに、袋を切り開いた籾殻を籾殻用バケット１１の前部側に投入しやすい高さや角度に籾殻用バケット１１の状態を設定する。この図３に示す状態で、置き場所２１に置かれている袋を籾殻用バケット１１の内部前部側に運び、袋を切り開いて籾殻２２を籾殻用バケット１１の前部側に投入する第１投入操作を行う。
【００１７】
第１投入操作である程度の量の籾殻２２を籾殻用バケット１１の前部側に投入した後、図４に示すように、油圧ショベル１２を操作して籾殻用バケット１１を起こし、開口１５を上方に向けて籾殻移動操作を行う。これにより、籾殻用バケット１１の前部側に投入された籾殻２２が自重で籾殻用バケット１１の後部側に移動し、籾殻用バケット１１の前部側が空いた状態になる。
【００１８】
籾殻移動操作で籾殻２２を後部側に移動させた籾殻用バケット１１を、再び図３に示す状態に戻し、籾殻用バケット１１の前部側に追加の籾殻２３を投入する第２投入操作を行い、第１投入操作で投入した第１の籾殻２２の前に第２の籾殻２３を追加投入する。再び籾殻用バケット１１を起こして開口１５を上方に向け、籾殻２２，２３を籾殻用バケット１１の後部側に移動させて籾殻用バケット１１の開口１５から籾殻２２，２３が落下しないようにして油圧ショベル１２を走行させ、埋め戻し材投入車やチップ投入機などと同様に形成された籾殻投入機２４の荷台２５の上方で籾殻用バケット１１の開口１５を下方に向けることにより、籾殻用バケット１１内の籾殻２２，２３の全量を荷台２５に移載することができる。
【００１９】
このとき、籾殻を投入する掘削溝に沿って走行している籾殻投入機２４に油圧ショベル１２を併走させて籾殻用バケット１１から荷台２５に籾殻を移載することにより、籾殻投入機２４を停止させることなく籾殻を移載することができ、籾殻投入機２４による掘削溝内への籾殻の投入を連続して行うことができる。
【００２０】
また、荷台２５に籾殻を投入した後、油圧ショベル１２を袋入り籾殻の置き場所２１に戻し、前記同様の操作によって籾殻用バケット１１内に籾殻を投入することにより、荷台２５が空になる前に次の籾殻を荷台２５に移載することが可能となり、籾殻投入機２４による掘削溝内への籾殻の投入を１００ｍ以上にわたって連続して行うことができる。したがって、圃場全体における掘削溝内への籾殻の投入作業を効率よく行うことができるとともに、作業員の負担も大幅に軽減することができる。さらに、風の影響も受けにくいので、籾殻が吹き飛ばされる量が少なくなり、籾殻の使用効率も向上できる。
【００２１】
また、籾殻用バケット１１の容量などの条件によっては、第２投入操作の次に籾殻移動操作を行い、第３の投入操作を行うようにしてもよく、投入操作と移動操作とを適宜繰り返して籾殻用バケット１１内に所定量の籾殻を投入するようにしてもよい。
【００２２】
図６及び図７は、本発明の籾殻用バケットの第２形態例を示している。なお、以下の説明において、前記第１形態例に示した籾殻用バケットの構成要素と同一の構成要素には同一の符号を付して詳細な説明は省略する。
【００２３】
本形態例に示す籾殻用バケット３１は、籾殻用バケット３１の後部壁３２を、軸線を水平方向に向けた半円形状とし、バケットシリンダ１３ａの操作による籾殻用バケット３１の上下回動操作の際に、後部壁３２が地面や油圧ショベル機体などに支障することなく、円滑に回動できるようにするとともに、アーム装着部３３の位置や溝底部３４の形状の最適化を行い、籾殻を移載する際の籾殻用バケット３１の操作をよりスムーズに行えるようにしたものである。
【００２４】
このように、籾殻用バケットの形状は、籾殻の必要量や、籾殻用バケットを装着する油圧ショベルの性能などの条件に応じて適宜に設定することができる。また、籾殻以外の他の軽量物質の移載にも使用可能である。
【符号の説明】
【００２５】
１１…籾殻用バケット、１２…油圧ショベル、１３…作業アーム、１３ａ…バケットシリンダ、１４…後部壁、１５…開口、１６…バケット本体、１７…溝部、１８…溝底部、１９…アーム装着部、１９ａ…アーム取付孔、１９ｂ…シリンダ取付孔、２１…袋入り籾殻の置き場所、２２…籾殻、２３…追加の籾殻、２４…籾殻投入機、２５…荷台、３１…籾殻用バケット、３２…後部壁、３３…アーム装着部、３４…溝底部
【図１】
2019203324.tif 000003
【図２】
2019203324.tif 000004
【図３】
2019203324.tif 000005
【図４】
2019203324.tif 000006
【図５】
2019203324.tif 000007
【図６】
2019203324.tif 000008
【図７】
2019203324.tif 000009